【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
導電性支持体、該導電性支持体上に、電荷発生物質を含有する電荷発生層、及び、電荷輸送物質を含有する電荷輸送層を有する電子写真感光体において、
該電荷発生層が、該電荷発生物質としてガリウムフタロシアニン結晶と、式（１）で示されるアミン化合物と、式（２）又は式（３）で示されるアゾ化合物を含有し、
該式（１）で示されるアミン化合物の含有量が、該ガリウムフタロシアニン結晶の含有量に対して、０．０５質量％以上２０質量％以下であり、
該アゾ化合物の含有量が、該ガリウムフタロシアニン結晶の含有量に対して、０．３質量％以上５質量％以下であることを特徴とする電子写真感光体。
【化１】
2014119561.tif 000001
（上記式（１）中、Ｒ１〜Ｒ１０は、それぞれ独立に、水素原子、ハロゲン原子、アリールオキシカルボニル基、置換もしくは無置換のアシル基、置換もしくは無置換のアルキル基、置換もしくは無置換のアルコキシ基、置換もしくは無置換のアリールオキシ基、置換基を有するアミノ基、または、置換もしくは無置換の環状アミノ基を示す。ただし、Ｒ１〜Ｒ１０の少なくとも１つは、置換もしくは無置換のアリール基で置換されたアミノ基、置換もしくは無置換のアルキル基で置換されたアミノ基、または、置換もしくは無置換の環状アミノ基を示す。Ｘ１は、カルボニル基、または、ジカルボニル基を示す。）
【化２】
2014119561.tif 000002
（上記式（２）中、ｎは４〜８の整数を示し、ｎ個のＡｒ１は同一で、置換基を有してもよい芳香族炭化水素環、置換基を有してもよい複素環、または複数の芳香族炭化水素環もしくは複数の複素環を結合したものを示す。）
【化３】
2014119561.tif 000003
（上記式（３）中、４個のＲ１１は同一で、水素原子、または置換基を有してもよいアルキル基を示し、４個のＡｒ１１は同一で、置換基を有してもよい芳香族炭化水素環、置換基を有してもよい複素環、または複数の芳香族炭化水素環もしくは複数の複素環を結合したものを示す。）
【請求項２】
前記式（１）で示されるアミン化合物が、前記ガリウムフタロシアニン結晶の結晶内に含有されている請求項１に記載の電子写真感光体。
【請求項３】
前記ガリウムフタロシアニン結晶の結晶内に含有されている、前記式（１）で示されるアミン化合物の含有量が、前記ガリウムフタロシアニン結晶の含有量に対して、０．０５質量％以上２０質量％以下である請求項２に記載の電子写真感光体。
【請求項４】
前記ガリウムフタロシアニン結晶が、その結晶内に、Ｎ，Ｎ−ジメチルホルムアミドを含有している請求項１〜３のいずれか一項に記載の電子写真感光体。
【請求項５】
前記Ｒ１〜Ｒ１０の少なくとも１つが、置換もしくは無置換のアルキル基で置換されたアミノ基である請求項１〜４のいずれか一項に記載の電子写真感光体。
【請求項６】
前記置換もしくは無置換のアルキル基で置換されたアミノ基における置換もしくは無置換のアルキル基が、アルコキシ基で置換されたアルキル基、アリール基で置換されたアルキル基、または、無置換のアルキル基である請求項５に記載の電子写真感光体。
【請求項７】
前記置換もしくは無置換のアルキル基で置換されたアミノ基が、ジアルキルアミノ基である請求項５に記載の電子写真感光体。
【請求項８】
前記ジアルキルアミノ基が、ジメチルアミノ基、または、ジエチルアミノ基である請求項７に記載の電子写真感光体。
【請求項９】
前記Ｒ１〜Ｒ１０の少なくとも１つが、置換もしくは無置換の環状アミノ基である請求項１〜３のいずれか一項に記載の電子写真感光体。
【請求項１０】
前記置換もしくは無置換の環状アミノ基が、モルホリノ基、または、１−ピペリジノ基である請求項９に記載の電子写真感光体。
【請求項１１】
前記アミン化合物が、４，４´−ビス（ジエチルアミノ）ベンゾフェノンである請求項１〜３のいずれか一項に記載の電子写真感光体。
【請求項１２】
前記Ａｒ１、またはＡｒ１１が、シアノ基、ニトロ基およびハロゲン原子からなる群より選択される少なくとも１つの基を有するフェニル基である請求項１〜１１のいずれか一項に記載の電子写真感光体。
【請求項１３】
前記Ａｒ１、またはＡｒ１１が、メタ位にシアノ基またはニトロ基を有するフェニルである請求項１２に記載の電子写真感光体。
【請求項１４】
前記ガリウムフタロシアニン結晶が、ヒドロキシガリウムフタロシアニン結晶である請求項１〜１３のいずれか一項に記載の電子写真感光体。
【請求項１５】
前記ヒドロキシガリウムフタロシアニン結晶が、ＣｕＫα線のＸ線回折におけるブラッグ角２θにおいて７．４°±０．３°および２８．３°±０．３°にピークを有するヒドロキシガリウムフタロシアニン結晶である請求項１４に記載の電子写真感光体。
【請求項１６】
請求項１〜１５のいずれか一項に記載の電子写真感光体と、該電子写真感光体の表面を帯電するための帯電手段、該電子写真感光体の表面に形成された静電潜像をトナーで現像してトナー像を形成するための現像手段、および、該トナー像が転写材に転写された後の該電子写真感光体の表面のトナーを除去するためのクリーニング手段からなる群より選ばれる少なくとも１つの手段とを一体に支持し、電子写真装置本体に着脱自在であることを特徴とするプロセスカートリッジ。
【請求項１７】
請求項１〜１５のいずれか一項に記載の電子写真感光体、ならびに、該電子写真感光体の表面を帯電するための帯電手段、帯電された該電子写真感光体の表面に像露光光を照射して静電潜像を形成するための像露光手段、該電子写真感光体の表面に形成された静電潜像をトナーで現像してトナー像を形成するための現像手段、および、該電子写真感光体の表面に形成されたトナー像を転写材に転写するための転写手段を有することを特徴とする電子写真装置。
【手続補正２】
【補正対象書類名】明細書
【補正対象項目名】００１３
【補正方法】変更
【補正の内容】
【００１３】
本発明は、導電性支持体、該導電性支持体上に、電荷発生物質を含有する電荷発生層、及び、電荷輸送物質を含有する電荷輸送層を有する電子写真感光体において、該電荷発生層が、該電荷発生物資としてガリウムフタロシアニン結晶と、式（１）で示されるアミン化合物と、式（２）で示されるアゾ化合物を含有し、該式（１）で示されるアミン化合物の含有量が、該ガリウムフタロシアニン結晶の含有量に対して、０．０５質量％以上２０質量％以下であり、該アゾ化合物の含有量が、該ガリウムフタロシアニン結晶の含有量に対して、０．３質量％以上５質量％以下であることを特徴とする電子写真感光体である。
【化１】
2014119561.tif 000004
（上記式（１）中、Ｒ１〜Ｒ１０は、それぞれ独立に、水素原子、ハロゲン原子、アリールオキシカルボニル基、置換もしくは無置換のアシル基、置換もしくは無置換のアルキル基、置換もしくは無置換のアルコキシ基、置換もしくは無置換のアリールオキシ基、置換基を有するアミノ基、または、置換もしくは無置換の環状アミノ基を示す。ただし、Ｒ１〜Ｒ１０の少なくとも１つは、置換もしくは無置換のアリール基で置換されたアミノ基、置換もしくは無置換のアルキル基で置換されたアミノ基、または、置換もしくは無置換の環状アミノ基を示す。Ｘ１は、カルボニル基、または、ジカルボニル基を示す。）
【化２】
2014119561.tif 000005
（上記式（２）中、ｎは４〜８の整数を示し、ｎ個のＡｒ１は同一で、置換基を有してもよい芳香族炭化水素環、置換基を有してもよい複素環、または複数の芳香族炭化水素環もしくは複数の複素環を結合したものを示す。）
【手続補正３】
【補正対象書類名】明細書
【補正対象項目名】００１４
【補正方法】変更
【補正の内容】
【００１４】
また、本発明は、導電性支持体、該導電性支持体上に、電荷発生物質を含有する電荷発生層、及び、電荷輸送物質を含有する電荷輸送層を有する電子写真感光体において、該電荷発生層が、該電荷発生物資としてガリウムフタロシアニン結晶と、式（１）で示されるアミン化合物と、式（３）で示されるアゾ化合物を含有し、該式（１）で示されるアミン化合物の含有量が、該ガリウムフタロシアニン結晶の含有量に対して、０．０５質量％以上２０質量％以下であり、該アゾ化合物の含有量が、該ガリウムフタロシアニン結晶の含有量に対して、０．３質量％以上５質量％以下含有することを特徴とする電子写真感光体である。
【化３】
2014119561.tif 000006
（上記式（１）中、Ｒ１〜Ｒ１０は、それぞれ独立に、水素原子、ハロゲン原子、アリールオキシカルボニル基、置換もしくは無置換のアシル基、置換もしくは無置換のアルキル基、置換もしくは無置換のアルコキシ基、置換もしくは無置換のアリールオキシ基、置換基を有するアミノ基、または、置換もしくは無置換の環状アミノ基を示す。ただし、Ｒ１〜Ｒ１０の少なくとも１つは、置換もしくは無置換のアリール基で置換されたアミノ基、置換もしくは無置換のアルキル基で置換されたアミノ基、または、置換もしくは無置換の環状アミノ基を示す。Ｘ１は、カルボニル基、または、ジカルボニル基を示す。）
【化４】
2014119561.tif 000007
（上記式（３）中、４個のＲ１１は同一で、水素原子、または置換基を有してもよいアルキル基を示し、４個のＡｒ１１は同一で、置換基を有してもよい芳香族炭化水素環、置換基を有してもよい複素環、または複数の芳香族炭化水素環もしくは複数の複素環を結合したものを示す。）